(57)【要約】【課題】  ベースバンド・プレディストータ及びベースバンド・プレディストーション方法を提供する。【解決手段】  ベースバンド・プレディストータは、位相基本ルックアップテーブルのアドレス及び振幅基本ルックアップテーブルのアドレスを計算するアドレス生成部と、位相並進量、振幅並進量、位相屈曲調整量、及び振幅屈曲調整量を決定するパラメータ決定部と、位相並進量に従ってアドレスを変更する位相並進部と、振幅並進量に従ってアドレスを変更する振幅並進部と、対応する位相出力を決定する位相基本ルックアップテーブル探索部と、対応する振幅出力を決定する振幅基本ルックアップテーブル探索部と、位相出力を調整する位相屈曲調整部と、振幅出力を調整する振幅屈曲調整部とを有する。【選択図】  図４
2010016821.tif 000002
【特許請求の範囲】
【請求項１】
入力信号に従って、位相基本ルックアップテーブルのアドレス、及び振幅基本ルックアップテーブルのアドレスを計算するアドレス生成部と、
フィードバック信号のスカラー量情報に従って、位相並進量、振幅並進量、位相屈曲調整量、及び振幅屈曲調整量を決定するパラメータ決定部と、
前記パラメータ決定部によって決定された前記位相並進量に従って、前記アドレス生成部によって計算された前記アドレスを変更する位相並進部と、
前記パラメータ決定部によって決定された前記振幅並進量に従って、前記アドレス生成部によって計算された前記アドレスを変更する振幅並進部と、
前記位相並進部によって変更されたアドレスに従って、前記位相基本ルックアップテーブルを探索し、前記位相基本ルックアップテーブルの対応する位相出力を決定する位相基本ルックアップテーブル探索部と、
前記振幅並進部によって変更されたアドレスに従って、前記振幅基本ルックアップテーブルを探索し、前記振幅基本ルックアップテーブルの対応する振幅出力を決定する振幅基本ルックアップテーブル探索部と、
前記パラメータ決定部によって決定された前記位相屈曲調整量に従って、前記位相基本ルックアップテーブル探索部によって決定された前記位相出力を調整する位相屈曲調整部と、
前記パラメータ決定部によって決定された前記振幅屈曲調整量に従って、前記振幅基本ルックアップテーブル探索部によって決定された前記振幅出力を調整する振幅屈曲調整部と、
を有するベースバンド・プレディストータ。
【請求項２】
前記パラメータ決定部は、好適な位相並進量、振幅並進量、位相屈曲調整量及び振幅屈曲調整量を、対応するデータベースから、前記フィードバック信号の前記スカラー量情報に従って選択するパラメータ選択制御ユニットを有する、請求項１に記載のベースバンド・プレディストータ。
【請求項３】
前記パラメータ決定部は、好適な位相並進量、振幅並進量、位相屈曲調整量及び振幅屈曲調整量を、前記フィードバック信号の前記スカラー量情報に従って計算するパラメータ計算ユニットを有する、請求項１に記載のベースバンド・プレディストータ。
【請求項４】
前記位相並進部及び前記振幅並進部は、それぞれ、前記パラメータ決定部によって決定された前記位相並進量及び前記振幅並進量を、前記アドレス生成部によって計算された前記アドレスに足し合わせる加算器である、請求項１に記載のベースバンド・プレディストータ。
【請求項５】
前記位相屈曲調整部及び前記振幅屈曲調整部の各々は、第１のパラメータ計算ユニット、第２のパラメータ計算ユニット、乗算器及び加算器を有し、
前記第１のパラメータ計算ユニットは第１のパラメータを計算し、
前記第２のパラメータ計算ユニットは第２のパラメータを計算し、
前記乗算器は、前記振幅基本ルックアップテーブル探索部の出力又は前記位相基本ルックアップテーブル探索部の出力を前記第１のパラメータと掛け合わせ、且つ
前記加算器は、前記乗算器の乗算結果を前記第２のパラメータと足し合わせる、
請求項１に記載のベースバンド・プレディストータ。
【請求項６】
縦方向の並進部を更に有し、
前記パラメータ決定部は、前記フィードバック信号の前記スカラー量情報に従って縦方向の並進量を決定し、且つ前記縦方向の並進部は、前記パラメータ決定部によって決定された前記縦方向の並進量に従って、前記位相屈曲調整部及び前記振幅屈曲調整部の出力に、あるいは前記振幅並進部及び前記位相並進部によって並進された信号に、縦方向の平行移動を実行する、
請求項１に記載のベースバンド・プレディストータ。
【請求項７】
請求項１に記載のベースバンド・プレディストータと、
前記ベースバンド・プレディストータによって出力されたプレディストーション信号を入力信号に掛け合わせる乗算器と、
前記乗算器によって出力されたデジタル信号をアナログ信号に変換するデジタル−アナログ変換器と、
前記デジタル−アナログ変換器の出力にアップコンバージョンを実行するアップコンバータと、
前記アップコンバータの出力信号を増幅する増幅ユニットと、
前記増幅ユニットの出力の一部すなわちフィードバック信号をフィードバックし、該フィードバック信号のスカラー量情報を取得するフィードバック分岐と、
を有する増幅器装置。
【請求項８】
前記フィードバック分岐は、
前記フィードバック信号をフィルタリングし、前記フィードバック信号の歪み部分を得るフィルタと、
前記フィルタによって得られた前記歪み部分に従って前記フィードバック信号の前記スカラー量情報を決定する費用関数取得部と、
を有する、請求項７に記載の増幅器装置。
【請求項９】
前記フィードバック分岐は、
前記フィードバック信号にダウンコンバージョンを実行するダウンコンバータと、
前記ダウンコンバータによって前記ダウンコンバージョンを実行された信号にアナログ−デジタル変換を実行するアナログ−デジタル変換ユニットと、
前記アナログ−デジタル変換を実行された信号の周波数ドメイン情報を得る周波数ドメイン情報取得ユニットと、
得られた周波数ドメイン情報に従って前記フィードバック信号の前記スカラー量情報を決定する費用関数取得部と、
を有する、請求項７に記載の増幅器装置。
【請求項１０】
入力信号に従って、振幅基本ルックアップテーブルのアドレス及び位相基本ルックアップテーブルのアドレスを計算する段階と、
フィードバック信号のスカラー量情報に従って、位相並進量、振幅並進量、位相屈曲調整量、及び振幅屈曲調整量を決定する段階と、
計算された前記位相基本ルックアップテーブルのアドレスを前記位相並進量に従って変更する段階と、
計算された前記振幅基本ルックアップテーブルのアドレスを前記振幅並進量に従って変更する段階と、
前記位相並進量に従って変更されたアドレスに従って前記位相基本ルックアップテーブルを探索し、前記位相基本ルックアップテーブルの対応する位相出力を決定する段階と、
前記振幅並進量に従って変更されたアドレスに従って前記振幅基本ルックアップテーブルを探索し、前記振幅基本ルックアップテーブルの対応する振幅出力を決定する段階と、
前記位相屈曲調整量に従って前記位相出力を調整する段階と、
前記振幅屈曲調整量に従って前記振幅出力を調整する段階と、
を有するベースバンド・プレディストーション方法。
【発明の詳細な説明】
【技術分野】
【０００１】
本発明は、非線形デバイスのプレディストーション線形化技術、より具体的には、電力増幅器の線形化に関する。
【背景技術】
【０００２】
電力増幅器（power  amplifier；ＰＡ）は電子機器の重要部品である。ＰＡは、伝送及び放射の要求を満たすように、弱い電気信号を増幅することができ、増幅のためのエネルギーはＤＣ（直流）電源によって供給される。すなわち、ＰＡは、ＡＣ（交流）信号の電力が上記要求を満たすように、ＤＣエネルギーをＡＣ信号に変換する。ここで、ＤＣエネルギーをＡＣエネルギーに変換するＰＡの性能は、ＰＡの効率と呼ばれている。ＰＡの入力の電力と出力信号の電力との間の関係は、線形領域、非線形領域及び飽和領域に分けることができる。
【０００３】
入力信号の包絡線が線形領域内でのみ変動するとき、入力信号は理想的に増幅される。ところが、入力信号の包絡線が非線形領域まで変動するとき、出力信号は歪むことになる。時間ドメインにおいて、この歪みは、理想的に増幅されたものでない出力信号として現れ、周波数ドメインにおいて、この歪みは、望ましくない出力信号スペクトルのサイドローブの増大及び歪んだメインローブとして現れる。
【０００４】
物理的な理由により、入力信号の包絡線が非線形領域の深くまで変動するとき、ＰＡの効率は、包絡線が線形領域内でのみ変動するときより遙かに高くなる。新たな変調方法の出現に伴い、信号包絡線のダイナミックレンジは一層広くなるため、非線形歪みは不可避となり、いかにして非線形性を克服するかが鍵となる。
【０００５】
ベースバンド・プレディストーション技術はＰＡの非線形性を克服する有効な手段である。この技術は、ＰＡの出力端で理想的な増幅信号が得られるように、ＰＡの非線形性の反転特性をシミュレーションすることによってベースバンドデジタル信号を予め歪ませるものである。
【０００６】
ＰＡの基本反転特性は、測定によって取得することができ、プレディストーションデータとしてＰＡのプレディストーションモジュール内に統合される。しかし、ＰＡの反転特性は、例えば温度、湿度、デバイスの経時劣化などの要因によって影響を受けて変化する。プレディストーションデータを実時間で調整するため、古典的な方法（ベクトル法）は、ＰＡの動作中にＰＡの入力データとフィードバック出力データとを正確に比較することを必要とし、例えば正確な同期化やＩＱバランス等の問題に関わる。これらの問題を解決するために、通常、回路に多大なコストが掛けられる。
【０００７】
後の研究者たちにより提案されているのは、プレディストーションデータの選択又は更新の基礎としてフィードバックスカラー量情報を用いることのみである。一般的なスカラー量情報は、正確な同期化なしで用いられ得るスペクトルのサイドローブ電力やメインローブとサイドローブとの間の電力比などを含み、ＩＱアンバランスの問題は存在しない。この方法はスカラー法と呼ばれており、鍵となるのはプレディストーションデータの設定である。
【０００８】
プレディストーションデータを設定する従来のスカラー法は事実上、選択型と更新型という２つの型に分類することができる。
【０００９】
選択型：多数のプレディストーションデータ又は特性データ（例えば、多項係数、補間キーポイント等）を記憶し、スカラー量情報に従って適切なプレディストーションデータ又は特性データを選択する。
【００１０】
更新型：スカラー量情報に従って多項係数及び補間キーポイントの値を適応的に更新する。
【００１１】
図１−３は、スカラー法の原理及び従来のスカラー法の概略図である。
【００１２】
図１は、スカラー法に係るベースバンド・デジタル・プレディストーション法の原理を概略的に示している。基本的な概念は、振幅プレディストーション・データベースユニット１０１及び位相プレディストーション・データベースユニット１０２に複数グループのプレディストーションデータを予め格納し、フィードバック信号における歪み量（例えば、サイドローブ電力）に基づいて１つのグループのプレディストーションデータを選択してプレディストーション処理を実行することである。
【００１３】
詳細には、初期信号ｘ（ｎ）が２つの分岐に分割され、一方の分岐はプレディストーションユニット１００（プレディストータ）の振幅プレディストーション・データベースユニット１０１及び位相プレディストーション・データベースユニット１０２のそれぞれへ送られ、他方の分岐は、プレディストーション信号が得られるように、振幅プレディストーション・データベースユニット１０１及び位相プレディストーション・データベースユニット１０２からの出力データを掛け合わされる。得られた信号は電力増幅器１０３に送られ、電力増幅器１０３は信号ｙ（ｎ）を出力する。信号ｙ（ｎ）の一部はカップラ１０４によりフィードバックされ、アッテネータ１０５によって減衰される。その後、アッテネータ１０５によって減衰された信号の、帯域外電力、又は帯域外電力と帯域内電力との間の比が電力検出器１０６によって検出される。電力検出器１０６の検出結果に基づいて、コントローラ１０７が制御量を出力する。コントローラ１０７によって出力された制御量と初期入力信号ｘ（ｎ）とに従って、振幅プレディストーション・データベースユニット１０１及び位相プレディストーション・データベースユニット１０２はデータベースから１つのグループのプレディストーションデータを選択し、プレディストーション処理を実行する。
【００１４】
図２は、選択型のスカラー法に係るベースバンド・デジタル・プレディストーション法を概略的に示している。プレディストーションデータの非常に多数の特性パラメータ（例えば、多項係数、補間キーポイント等）がプレディストーションパラメータデータベース２０３に格納され、振幅プレディストータ２０１及び位相プレディストータ２０２が特性データの補間に基づいて（あるいは、その他の計算法を用いて）プレディストーションデータを生成する。
【００１５】
詳細には、初期信号ｘ（ｎ）が２つの分岐に分割され、一方の分岐は振幅プレディストータ２０１及び位相プレディストータ２０２のそれぞれへ送られ、他方の分岐は、プレディストーション信号が得られるように、振幅プレディストータ２０１及び位相プレディストータ２０２からの出力データを掛け合わされる。得られた信号はデジタル−アナログ変換器２０４によって、そしてアップコンバータ２０４によって変換されて電力増幅器１０３に送られ、電力増幅器１０３は信号ｙ（ｎ）を出力する。信号ｙ（ｎ）の一部は、カップラ１０４によりフィードバックされ、アッテネータ１０５によって減衰され、そして、ダウンコンバータ２０６及びアナログ−デジタル変換器２０７によってベースバンドデジタル信号に変換される。この信号は費用関数計算器２０８によって費用関数に変換され、費用関数はセレクタ２０９へ送られる。セレクタ２０９は、費用関数の値に従って、プレディストーションパラメータデータベース２０３からプレディストーションデータの適切な特性パラメータを選択し、それらを振幅プレディストータ２０１及び位相プレディストータ２０２へと送る。これらのパラメータ及び初期入力信号に基づいて、振幅プレディストータ２０１及び位相プレディストータ２０２はプレディストーションデータの計算及び生成を行う。図２において、振幅プレディストータ２０１、位相プレディストータ２０２及びプレディストーションパラメータデータベース２０３は、プレディストーションユニット（プレディストータ）を構成する。
【００１６】
この方法は、プレディストーションパラメータを予め記憶することを必要とするため、多大な記憶容量を要する。
【００１７】
図３は、従来の更新型のスカラー法に係るベースバンド・デジタル・プレディストーション法を概略的に示している。図３に示すように、この方法は、スカラー量情報に従って、即座に、特性パラメータの更新及び計算を行う（データ更新モジュール３０１）。図３の構成は、費用関数の値がデータ更新モジュール３０１へ送られ、データ更新モジュール３０１がコスト関数の値に基づいて即座にパラメータの更新及び計算を行い、そのパラメータをプレディストーションユニット３００の振幅プレディストータ２０１及び位相プレディストータ２０２へ送ることを除いて、図２とほぼ同じである。
【００１８】
一般に、特性に基づいてプレディストーションデータを生成することは複雑な計算を必要とし、この方法も多量の計算を要するという欠点を有する。
【発明の概要】
【発明が解決しようとする課題】
【００１９】
上述の状況に鑑み、本発明は、従来技術の１つ以上の欠点を解消し、少なくとも１つの有利な選択を提供することを目的とする。本出願は、小さい記憶空間及び計算量で豊富且つ繊細なプレディストーションデータを生成可能とする、プレディストーションデータを生成する方法及び装置を提供する。
【課題を解決するための手段】
【００２０】
上記課題を達成するため、本出願により以下の態様が提供される。
【００２１】
一態様に従って、ベースバンド・プレディストータが提供される。当該ベースバンド・プレディストータは、
入力信号に従って、位相基本ルックアップテーブルのアドレス、及び振幅基本ルックアップテーブルのアドレスを計算するアドレス生成部と、
フィードバック信号のスカラー量情報に従って、位相並進量（ｊ）、振幅並進量（ｉ）、位相屈曲調整量（ｖ）、及び振幅屈曲調整量（ｕ）を決定するパラメータ決定部と、
前記パラメータ決定部によって決定された前記位相並進量（ｊ）に従って、前記アドレス生成部によって計算された前記アドレスを変更する位相並進部と、
前記パラメータ決定部によって決定された前記振幅並進量（ｉ）に従って、前記アドレス生成部によって計算された前記アドレスを変更する振幅並進部と、
前記位相並進部によって変更されたアドレスに従って、前記位相基本ルックアップテーブルを探索し、前記位相基本ルックアップテーブルの対応する位相出力を決定する位相基本ルックアップテーブル探索部と、
前記振幅並進部によって変更されたアドレスに従って、前記振幅基本ルックアップテーブルを探索し、前記振幅基本ルックアップテーブルの対応する振幅出力を決定する振幅基本ルックアップテーブル探索部と、
前記パラメータ決定部によって決定された前記位相屈曲調整量（ｖ）に従って、前記位相基本ルックアップテーブル探索部によって決定された前記位相出力を調整する位相屈曲調整部と、
前記パラメータ決定部によって決定された前記振幅屈曲調整量（ｕ）に従って、前記振幅基本ルックアップテーブル探索部によって決定された前記振幅出力を調整する振幅屈曲調整部と、
を有する。
【００２２】
他の一態様に従って、増幅器装置が提供される。当該増幅器装置は、
上述のベースバンド・プレディストータと、
前記ベースバンド・プレディストータによって出力されたプレディストーション信号を入力信号に掛け合わせる乗算器と、
前記乗算器によって出力されたデジタル信号をアナログ信号に変換するデジタル−アナログ変換器と、
前記デジタル−アナログ変換器の出力にアップコンバージョンを実行するアップコンバータと、
前記アップコンバータの出力信号を増幅する増幅ユニットと、
前記増幅ユニットの出力の一部すなわちフィードバック信号をフィードバックし、該フィードバック信号のスカラー量情報を取得するフィードバック分岐と、
を有する。
【００２３】
他の一態様に従って、ベースバンド・プレディストーション方法が提供される。当該方法は、
入力信号に従って、振幅基本ルックアップテーブルのアドレス及び位相基本ルックアップテーブルのアドレスを計算する段階と、
フィードバック信号のスカラー量情報に従って、位相並進量（ｊ）、振幅並進量（ｉ）、位相屈曲調整量（ｖ）、及び振幅屈曲調整量（ｕ）を決定する段階と、
計算された前記位相基本ルックアップテーブルのアドレスを前記位相並進量（ｊ）に従って変更する段階と、
計算された前記振幅基本ルックアップテーブルのアドレスを前記振幅並進量（ｉ）に従って変更する段階と、
前記位相並進量（ｊ）に従って変更されたアドレスに従って前記位相基本ルックアップテーブルを探索し、前記位相基本ルックアップテーブルの対応する位相出力を決定する段階と、
前記振幅並進量（ｉ）に従って変更されたアドレスに従って前記振幅基本ルックアップテーブルを探索し、前記振幅基本ルックアップテーブルの対応する振幅出力を決定する段階と、
前記位相屈曲調整量（ｖ）に従って前記位相出力を調整する段階と、
前記振幅屈曲調整量（ｕ）に従って前記振幅出力を調整する段階と、
を有する。
【図面の簡単な説明】
【００２４】
図面は本発明の好適実施形態を例示するものであり、ここでの説明の一部を構成する。図面は本発明の原理を更に説明するために本明細書とともに用いられる。
【図１】スカラープレディストーション法の原理を示す図である。
【図２】従来の選択型のスカラー法に係るベースバンド・デジタル・プレディストーション法を概略的に示す図である。
【図３】従来の更新型のスカラー法に係るベースバンド・デジタル・プレディストーション法を概略的に示す図である。
【図４】本発明の一実施形態に従ったベースバンド・デジタル・プレディストーション装置を概略的に示す図である。
【図５】本発明の他の一実施形態に従ったベースバンド・デジタル・プレディストーション装置を概略的に示す図である。
【図６】本発明の一実施形態に従った振幅プレディストーション装置の一実施例をより詳細に示す図である。
【図７】本発明の他の一実施形態に従った振幅プレディストーション装置の一実施例をより詳細に示す図である。
【図８】基本ＬＵＴ及び派生ＬＵＴのコンテンツをグラフにて示す図である。
【図９】本発明に係る方法及び装置によるスペクトル補正効果を示す図である。
【図１０】本発明の他の一実施形態に従った位相プレディストーション装置を示す図である。
【図１１】本発明の他の一実施形態に従った位相プレディストーション装置を示す図である。
【図１２】本発明の一実施形態に従ったベースバンド・プレディストーション法を示すフローチャートである。
【発明を実施するための形態】
【００２５】
以下、図面に関連付けて、本発明に係るスカラー・ベースバンド・プレディストーション装置及び方法の実施形態を詳細に説明する。
【００２６】
先ず、実施形態を説明する前に、本発明の原理を説明する。
【００２７】
電力増幅器の基本特性（ＡＭ−ＡＭ、ＰＭ−ＰＭ）は測定によって前もって取得することが可能である。基本プレディストーション・ルックアップテーブル（ＬＵＴ）が、基本振幅補償ＬＵＴ（振幅基本ルックアップテーブル）及び基本位相補償ＬＵＴ（位相基本ルックアップテーブル）を含め、上述の基本特性に基づいて得られる。電力増幅器の基本特性に基づいて基本プレディストーションＬＵＴを構築することには数多くの一般的手法が存在するので、ここではこれ以上は説明しないこととする。
【００２８】
基本振幅補償ＬＵＴ：  Ａ００＝［α０，α１，・・・，αＫ−１］  （１）
基本位相補償ＬＵＴ：  Ｐ００＝［β０，β１，・・・，βＫ−１］  （２）
ただし、ＫはＬＵＴの長さである。αｋ及びβｋは、それぞれ、基本振幅補償ＬＵＴ及び基本位相補償ＬＵＴにおけるｋ番目の要素を表す。ここで、Ａ００及びＰ００は、上付き添字及び下付き添字を有し、下付き添字は“平行移動（translating；以下、並進）処理”（後述）のパラメータであり、上付き添字は“曲げ（bending）処理”（後述）のパラメータである。
【００２９】
並進処理及び／又は曲げ処理により、基本プレディストーションＬＵＴから数多くのその他のＬＵＴを得ることができる。
【００３０】
並進処理：
並進による派生振幅補償ＬＵＴ：
Ａｉ０（ｋ）＝Ａ００（ｋ＋ｉ）  （３）
並進による派生位相補償ＬＵＴ：
Ｐｊ０（ｋ）＝Ｐ００（ｋ＋ｊ）  （４）
ここで、ｉ及びｊは並進処理のパラメータであり、ｋはｋ番目の要素を表す。
【００３１】
曲げ処理：
曲げによる派生振幅補償ＬＵＴ：
Ａ０ｕ（ｋ）＝ｕ（Ａ００（ｋ）−Ａ００（０））＋Ａ００（ｋ）
＝（１＋ｕ）Ａ００（ｋ）−ｕＡ００（０）  （５）
曲げによる派生位相補償ＬＵＴ：
Ｐ０ｖ（ｋ）＝ｖ（Ｐ００（ｋ）−Ｐ００（０））＋Ｐ００（ｋ）
＝（１＋ｖ）Ｐ００（ｋ）−ｖＰ００（０）  （６）
ここで、ｕ及びｖは曲げ処理のパラメータである。
【００３２】
すなわち、ｉ、ｊ、ｕ及びｖを一緒に調整することによって、様々な派生ＬＵＴを得ることができる。
【００３３】
故に、プレディストーションを達成し、電力増幅器の非線形性を改善するという課題は、単に基本ＬＵＴを格納し、フィードバック信号のスカラー量情報（サイドローブ電力、又はメインローブとサイドローブとの間の電力比）に従ってｉ、ｊ、ｕ及びｖの調整及び選択を行うことによって実現され得る。
【００３４】
また、ＬＵＴ特性を更に具体的に記述するため、基本ＬＵＴを例えば２つの部分（セグメント）に分割することができる：
基本振幅補償ＬＵＴ：  Ａ００＝［Ａ１００  Ａ２００］  （７）
前方セグメント：  Ａ１００＝［α０，α１，・・・，αＬ］  （８）
後方セグメント：  Ａ２００＝［αＬ＋１，αＬ＋２，・・・，αＫ−１］  （９）
基本位相補償ＬＵＴ：  Ｐ００＝［Ｐ１００  Ｐ２００］  （１０）
前方セグメント：  Ｐ１００＝［β０，β１，・・・，βＬ］  （１１）
後方セグメント：  Ｐ２００＝［βＬ＋１，βＬ＋２，・・・，βＫ−１］  （１２）
ただし、Ｌ＝ｒｏｕｎｄ（Ｋ／２）  （１３）は、ルックアップテーブルが分割される位置であり、ｒｏｕｎｄ（）は四捨五入関数を表す。
【００３５】
一般に、Ａ１，Ｐ１，・・・はＡｔ，Ｐｔ（ｔ＝１，２）で置換することができるので以下のように表せる。
【００３６】
並進処理に従って：
並進派生振幅補償ＬＵＴ：
Ａｔｉｔ０（ｋ）＝Ａｔ００（ｋ＋ｉｔ）  （１４）
並進派生位相補償ＬＵＴ：
Ｐｔｊｔ０（ｋ）＝Ｐｔ００（ｋ＋ｊｔ）  （１５）
ここで、ｉｔ及びｊｔはｔ番目のセグメントの並進パラメータである。
【００３７】
曲げ処理：
曲げ派生振幅補償ＬＵＴ：
Ａｔ０ｕｔ（ｋ）＝ｕｔ（Ａｔ００（ｋ）−Ａｔ００（０））＋Ａｔ００（ｋ）
＝（１＋ｕｔ）Ａｔ００（ｋ）−ｕｔＡｔ００（０）  （１６）
曲げによる派生位相補償ＬＵＴ：
Ｐｔ０ｖｔ（ｋ）＝ｖｔ（Ｐｔ００（ｋ）−Ｐｔ００（０））＋Ｐｔ００（ｋ）
＝（１＋ｖｔ）Ｐｔ００（ｋ）−ｖｔＰｔ００（０）  （１７）
ここで、ｕｔ及びｖｔはｔ番目のセグメントの曲げパラメータである。
【００３８】
実際の要求に応じて、基本ＬＵＴは一層多くのセグメント、すなわち、ｔ＝１，２，３，・・・に分割することができ、奇数個のセグメントも可能である。
【００３９】
加えて、一定の条件下においては縦方向の並進処理を行ってもよく、故に、
縦方向並進派生振幅補償ＬＵＴ：
Ａ００＿ｍ（ｋ）＝Ａ００（ｋ）＋ｍ  （１８）
縦方向並進派生位相補償ＬＵＴ：
Ｐ００＿ｎ（ｋ）＝Ｐ００（ｋ）＋ｎ  （１９）
ここで、ｍ及びｎはそれぞれ並進量を制御するためのパラメータである。
【００４０】
続いて、上述の原理に従った本発明に係るベースバンド・デジタル・プレディストーション装置及び方法の好適実施形態を説明する。
【００４１】
図４は、本発明の一実施形態に従ったベースバンド・デジタル・プレディストーション装置を概略的に示している。
【００４２】
図４のベースバンド・デジタル・プレディストーション装置は、図４のプレディストーションユニット４００が、図３のプレディストーションユニット３００と異なっている点で、図３の装置と異なる。
【００４３】
図４に示すように、本発明に係るプレディストーションユニット４００は、アドレス生成部４０５、振幅アドレス並進部４０２Ａ、位相アドレス並進部４０２Ｐ、基本ルックアップテーブル探索部４０１Ａ、基本ルックアップテーブル探索部４０１Ｐ、振幅屈曲（curvature）調整部４０３Ａ、位相屈曲調整部４０３Ｐ、及び制御ユニット４０４（パラメータ決定ユニット）を有する。
【００４４】
初期入力信号ｘ（ｎ）は２つの分岐に分割され、一方の分岐は、ルックアップテーブルアドレス（例えば、図８の横座標により指し示されるインデックス）を生成するためにアドレス生成部４０５に入力され、他方の分岐は初期プレディストーションデータを掛け合わされる。
【００４５】
第１の分岐はアドレス生成部４０５によってルックアップテーブルアドレスに変換される。例えば、ルックアップテーブルアドレスは入力信号のモジュール値を計算することによって計算され得る。このアドレスはアドレス並進部４０２Ａ及び４０２Ｐへ送られる。コントローラ４０４の制御下で、アドレス並進部４０２Ａ及び４０２Ｐは新たなアドレス情報を得るためにアドレスの並進補正を実行する。
【００４６】
並進補正後のアドレス情報に従って、基本ルックアップテーブル探索部４０１Ａ及び基本ルックアップテーブル探索部４０１Ｐはそれぞれ基本振幅補償ＬＵＴ及び基本位相補償ＬＵＴを探索し、それぞれプレディストーション値を出力する。上述のように、基本振幅補償ＬＵＴ及び基本位相補償ＬＵＴは前もって取得することができる。基本ルックアップテーブル探索部４０１Ａ及び基本ルックアップテーブル探索部４０１Ｐによって出力されたプレディストーション値は、それぞれ、振幅屈曲調整部４０３Ａ及び位相屈曲調整部４０３Ｐによって調整される。それらの積に初期入力信号ｘ（ｎ）の他方の分岐が掛け合わされ、プレディストーション信号が得られる。
【００４７】
プレディストーション信号は、デジタル−アナログ（Ｄ／Ａ）変換器２０４によってアナログ信号に変換され、アップコンバータ２０５によって無線周波数に変換され、そして、電力増幅器１０３によって増幅される。増幅された信号ｙ（ｎ）の一部は送信され、その他の部分は、カップラ１０４によってフィードバックされ、アッテネータ１０５によって減衰され、そして、フィルタ４０６によってサイドローブ（逸脱部）がフィルタリングされる。この信号は費用関数生成モジュール４０７へ送られる。このモジュールは入力信号（すなわち、サイドローブ）の電力を検知し、それをデジタル信号に変換して制御ユニット４０４に送信する。本明細書においては、費用関数生成モジュール４０７及び後述の費用関数生成モジュール５０７の出力をともに、フィードバック信号のスカラー量情報と呼ぶ。
【００４８】
制御ユニット４０４は、費用関数生成モジュール４０７からの信号に基づいて、アドレス並進部４０２（アドレス並進部４０２Ａ及びアドレス並進部４０２Ｐを含む）と屈曲調整部４０３（振幅屈曲調整部４０３Ａ及び位相屈曲調整部４０３Ｐを含む）とに送るべきデータを決定する。アドレス並進部４０２及び屈曲調整部４０３は、等式（１）−（６）に従って、対応するプレディストーションデータを得る。
【００４９】
さらに、本発明の一実施形態において、アドレス並進部４０２はアドレスの妥当性を保護する機能を有する。すなわち、生成されたアドレスが所定の範囲（例えば、０−２５５）を超える場合、アドレス並進部４０２はそのアドレスを、それに最も近い妥当アドレスとして補正する。
【００５０】
図５は、本発明の他の一実施形態に従ったベースバンド・プレディストーション装置を概略的に示している。図５の実施形態は、費用関数生成方法において費用関数がデジタルドメインで計算される点で、図４の実施形態と異なる。
【００５１】
図５に示すように、アッテネータ１０５によって減衰された信号は、フィルタ２０６によってフィルタリングされ、Ｄ／Ａ変換器２０７によってデジタル信号に変換される。フィードバック信号のスペクトルを得るため、周波数ドメイン情報取得ユニット５００がこのデジタル信号のスペクトル評価を実行する。周波数ドメイン情報取得ユニット５００は、ＦＦＴ、ＤＦＴ等によって実現され得る。スペクトルは、費用関数の計算及び生成を行う費用関数計算器５０１に入力される。デジタルドメインでの処理により、例えばスペクトルのサイドローブ電力、又はメインローブとサイドローブとの間の電力比などの様々な費用関数を都合良く得ることができる。
【００５２】
なお、フィードバックが弱い場合、アッテネータ１０５は省略可能である。
【００５３】
図６は、本発明の一実施形態に従った振幅補償に関連する装置（振幅プレディストーション装置）の一実施例を詳細に示している。
【００５４】
図６に示すように、費用関数計算ユニット６０１（図４の費用関数生成モジュール４０７、及び図５の費用関数計算器５０１に対応）からの費用関数がパラメータ選択制御ユニット６０２に入力され、該ユニット６０２が、パラメータＩ集合モジュール６０３及びパラメータＵ集合モジュール６０４から適切なｉ及びｕパラメータを選択するための制御信号を送信する。パラメータ選択制御ユニット６０２、パラメータＩ集合モジュール６０３及びパラメータＵ集合モジュール６０４は図４−５の制御ユニット４０４に対応している。
【００５５】
ここで、パラメータｉは、アドレス生成器６０７（アドレス生成部４０５に対応）によって生成されたアドレスを足し合わされるように直接的に加算器６０８（アドレス並進部４０２Ａに対応）へ送られ、新たなアドレス信号が生成される。この信号に基づいて、基本ルックアップテーブル探索部６００（基本ルックアップテーブル探索部４０１Ａに対応）が基本ルックアップテーブルを探索し、データの読み取り及び出力を行う。
【００５６】
パラメータｕは、データ生成モジュール６０５及び６０６のそれぞれへ送られ、そして、乗算器６０９及び加算器６１０へと送られる。それにより、これらは等式（５）と基本ルックアップテーブル探索部６００からのデータ信号とに従って動作し、最終的にプレディストーションデータが得られる。
【００５７】
詳細には、パラメータ選択制御ユニット６０２によってパラメータＵ集合モジュール６０４から選択されたパラメータをｕとして、データ生成モジュール６０６は１＋ｕを計算する。データ生成モジュール６０６の計算結果は、乗算器６０９に出力され、基本ルックアップテーブル探索部６００の出力を掛け合わされる。一方、データ生成モジュール６０５は−ｕとＬＵＴ（０）（ここで、ＬＵＴ（０）は基本ＬＵＴ内の第１のデータに対応している）との積を計算し、加算器６１０がデータ生成モジュール６０５の出力と乗算器６０９の出力とを足し合わせることにより、振幅プレディストーションデータが得られる。最終的に、乗算器６１１がこのプレディストーションデータと初期信号とを掛け合わせることにより、最終的な振幅プレディストーション信号が得られる。ここで、データ生成モジュール６０５及び６０６、乗算器６０９、並びに加算器６１０は合わさって、図４−５の屈曲調整部４０３Ａに対応する。
【００５８】
位相補償に関連する装置（位相プレディストーション装置）の実施例は、振幅補償に関連する装置の実施例と同様である。異なる等式が用いられるので、用いられるハードウェアは僅かに異なり得る。なお、位相プレディストーション装置は、振幅プレディストーション装置が乗算器６１１を有するとき如何なるその他の乗算器をも必要とせず、位相プレディストーション装置の出力は乗算器６１１に入力されることになる。当業者は、振幅補償に関連する装置の実施例に基づいて、位相補償に関連する装置を完全に実施することができるため、ここではこれ以上説明しないこととする。
【００５９】
なお、上述の実施形態は単なる例示であり、本発明に係る図４−５に示したプレディストーションユニットのそれぞれの構成要素を実現するために、その他のデバイスも想到され得る。
【００６０】
図７は、本発明の他の一実施形態に従った振幅プレディストーション装置の一実施例を詳細に示している。
【００６１】
図７は図６と似通っているが、縦方向の並進処理が考慮されているため、パラメータＭ集合モジュール６１３等のモジュールが追加されている。この場合、パラメータ選択制御ユニット６０２は、制御信号の分岐を１つ追加しており、パラメータｍを出力するようにパラメータＭ集合モジュール６１３を制御する。パラメータｍは、新たなプレディストーションデータを得るために、加算器６１４にて、パラメータｉ及びｕにより処理された信号と足し合わされる。図７の振幅アドレス並進部及び振幅屈曲調整部により、等式（１８）−（１９）の振幅アドレス並進部及び振幅屈曲調整部を実現することができる。加算器６１４及びパラメータＭ集合モジュール６１３は縦方向並進ユニットを構成する。
【００６２】
縦方向並進処理の位置は順応性を有し、この処理は、横方向の並進処理の後且つ屈曲調整の前に実行することも可能である。
【００６３】
図８は、基本ＬＵＴ及び派生ＬＵＴをグラフにて示している。
【００６４】
図８において、横軸はルックアップテーブルアドレスを表し、縦軸はそのアドレスにおけるコンテンツを表している。ただし、１から２５５を妥当アドレスとしている。これは単なる例示であり、例えば０から６３や、０から１２７等のその他の範囲も許容される。
【００６５】
図８に示すように、等式（３）−（６）に記述されるようにｉ、ｊ、ｕ及びｖを調整することによって、異なる初期プレディストーションデータＡｉｕ、Ｐｊｖを得ることができる。ただし、ｉ及びｊはルックアップアドレス変換を記述し、ｕ及びｖは出力データ補正を記述する。Ａ００及びＰ００は基本初期プレディストーションデータである。
【００６６】
図９は、本発明に係る方法及び装置を用いることによって達成されるスペクトル補正効果を示している。
【００６７】
この図において、実線はソース信号のスペクトルを表し、一点破線は電力増幅器から直接出力される信号のスペクトルを表し、破線は補正を介して得られるスペクトルを表す。この図から見て取れるように、適切なプレディストーションデータを生成するように派生パラメータ（ｉ、ｊ、ｕ及びｖ）を調整することによって電力増幅器を線形化することができる。
【００６８】
派生パラメータ（ｉ、ｊ、ｕ及びｖ）の選択には、複数のグループの派生パラメータを前もって格納し、様々なパラメータの下で費用関数（例えば、サイドローブ高さ）を計算し、最小の費用関数に対応するグループを選択してプレディストーションを実行するという選択型スカラー法の概念を用いることができる。
【００６９】
加えて、更新型スカラー法の概念に従って、派生パラメータを即座に更新することが可能である：
ｉｋ＋１＝ｉｋ＋γｉｅｋ  （２０）
ｊｋ＋１＝ｊｋ＋γｊｅｋ  （２１）
ｕｋ＋１＝ｕｋ＋γｕｅｋ  （２２）
ｖｋ＋１＝ｖｋ＋γｖｅｋ  （２３）
ただし、ｋはステップを表し、γｉ、γｊ、γｕ及びγｖは更新のためのパラメータのステップ長であり、ｅｋは、費用関数がｋ番目のステップで繰り返しているときに得られる値である。
【００７０】
図１０及び１１はそれぞれ、本発明の他の一実施形態に従った位相プレディストーション装置を示している。
【００７１】
図１０−１１の位相プレディストーション装置は、図６−７の構成と比較して、Ｉ集合モジュール６０３、Ｕ集合モジュール６０４及びＭ集合モジュール６１３を有していない。しかし、この場合、パラメータ計算制御ユニット６０２が上述の等式に基づいて適切なパラメータを計算する。このような状況下では、図６−７と比較して負荷が増大することになる。
【００７２】
図１２は、本発明の一実施形態に従ったベースバンド・プレディストーション方法のフローチャートを示している。
【００７３】
図１２に示すように、先ず段階１２０１にて、入力信号のモジュール値を計算する。第２に段階１２０２にて、フィードバック信号のスカラー量情報に従って、対応するパラメータ、すなわち、位相並進量ｊ、振幅並進量ｉ、位相屈曲調整量ｖ、及び振幅屈曲調整量ｕを決定する。
【００７４】
段階１２０３にて、並進処理を実行する。詳細には、モジュール値計算段階１２０１にて計算されたモジュール値を、パラメータ決定段階１２０２にて決定された位相並進量ｊに基づいて変更し、且つ、モジュール値計算段階１２０１にて計算されたモジュール値を、パラメータ決定段階１２０２にて決定された振幅並進量ｉに基づいて変更する。
【００７５】
次に段階１２０４にて、基本テーブルを探索する。詳細には、段階１２０３（位相並進段階）にて平行移動されたモジュール値に基づいて位相基本ルックアップテーブルを探索して、位相基本ルックアップテーブルの対応する位相出力を決定し、且つ、段階１２０３（振幅並進段階）にて平行移動されたモジュール値に基づいて振幅基本ルックアップテーブルを探索して、振幅基本ルックアップテーブルの対応する振幅出力を決定する。
【００７６】
そして、段階１２０５にて屈曲を調整する。段階１２０４（位相基本ルックアップテーブル探索段階）にて決定された位相出力を、パラメータ決定段階１２０２にて決定された位相屈曲調整量ｖに基づいて調整し、且つ、段階１２０４（振幅基本ルックアップテーブル探索段階）にて決定された振幅出力を、パラメータ決定段階１２０２にて決定された振幅屈曲調整量ｕに基づいて調整する。
【００７７】
次に、段階１２０６にて、費用関数が要求を満たすかを判断する。要求が満たされる場合、選択されたパラメータを固定する。費用関数が要求を満たさない場合、段階１２０２に戻り、パラメータ選択／計算とその後の段階群とを再び実行する。
【００７８】
選択的な一実施形態において、このベースバンド・プレディストーション方法は更に縦方向の並進段階を有する。
【００７９】
なお、本発明の範囲は、上述のプレディストーション方法を実行するために用いられるコンピュータプログラム、及び該コンピュータプログラムを記録したコンピュータ読み取り可能記録媒体をも含む。記録媒体は、コンピュータ読み取り可能な、フロッピーディスク（登録商標）、ハードディスク、半導体メモリ、ＣＤ−ＲＯＭ、ＤＶＤ、ＭＯ、及びその他の媒体とし得る。
【００８０】
本発明を単に好適実施形態を用いて例示したが、ここでの開示内容に基づいて、当業者は、添付の請求項にて規定される本発明の範囲を逸脱することなく、容易に様々な変形及び変更を行うことができる。以上の実施形態の記載は単なる例示であり、請求項により規定される本発明の範囲及びその均等範囲を限定するものではない。
【００８１】
以上の説明に関し、更に以下の付記を開示する。
【００８２】
（付記１）  入力信号に従って、位相基本ルックアップテーブルのアドレス、及び振幅基本ルックアップテーブルのアドレスを計算するアドレス生成部と、
フィードバック信号のスカラー量情報に従って、位相並進量（ｊ）、振幅並進量（ｉ）、位相屈曲調整量（ｖ）、及び振幅屈曲調整量（ｕ）を決定するパラメータ決定部と、
前記パラメータ決定部によって決定された前記位相並進量（ｊ）に従って、前記アドレス生成部によって計算された前記アドレスを変更する位相並進部と、
前記パラメータ決定部によって決定された前記振幅並進量（ｉ）に従って、前記アドレス生成部によって計算された前記アドレスを変更する振幅並進部と、
前記位相並進部によって変更されたアドレスに従って、前記位相基本ルックアップテーブルを探索し、前記位相基本ルックアップテーブルの対応する位相出力を決定する位相基本ルックアップテーブル探索部と、
前記振幅並進部によって変更されたアドレスに従って、前記振幅基本ルックアップテーブルを探索し、前記振幅基本ルックアップテーブルの対応する振幅出力を決定する振幅基本ルックアップテーブル探索部と、
前記パラメータ決定部によって決定された前記位相屈曲調整量（ｖ）に従って、前記位相基本ルックアップテーブル探索部によって決定された前記位相出力を調整する位相屈曲調整部と、
前記パラメータ決定部によって決定された前記振幅屈曲調整量（ｕ）に従って、前記振幅基本ルックアップテーブル探索部によって決定された前記振幅出力を調整する振幅屈曲調整部と、
を有するベースバンド・プレディストータ。
【００８３】
（付記２）  前記パラメータ決定部は、好適な位相並進量（ｊ）、振幅並進量（ｉ）、位相屈曲調整量（ｖ）及び振幅屈曲調整量（ｕ）を、対応するデータベースから、前記フィードバック信号の前記スカラー量情報に従って選択するパラメータ選択制御ユニットを有する、付記１に記載のベースバンド・プレディストータ。
【００８４】
（付記３）  前記パラメータ決定部は、好適な位相並進量（ｊ）、振幅並進量（ｉ）、位相屈曲調整量（ｖ）及び振幅屈曲調整量（ｕ）を、前記フィードバック信号の前記スカラー量情報に従って計算するパラメータ計算ユニットを有する、付記１に記載のベースバンド・プレディストータ。
【００８５】
（付記４）  前記位相並進部及び前記振幅並進部は、それぞれ、前記パラメータ決定部によって決定された前記位相並進量（ｊ）及び前記振幅並進量（ｉ）を、前記アドレス生成部によって計算された前記アドレスに足し合わせる加算器である、付記１に記載のベースバンド・プレディストータ。
【００８６】
（付記５）  前記位相屈曲調整部及び前記振幅屈曲調整部の各々は、第１のパラメータ計算ユニット、第２のパラメータ計算ユニット、乗算器及び加算器を有し、
前記第１のパラメータ計算ユニットは第１のパラメータ（１＋ｕ又は１＋ｖ）を計算し、
前記第２のパラメータ計算ユニットは第２のパラメータ（−ｕＬＵＴ（０）又は−ｖＬＵＴ（０））を計算し、
前記乗算器は、前記振幅基本ルックアップテーブル探索部の出力又は前記位相基本ルックアップテーブル探索部の出力を前記第１のパラメータと掛け合わせ、且つ
前記加算器は、前記乗算器の乗算結果を前記第２のパラメータと足し合わせる、
付記１に記載のベースバンド・プレディストータ。
【００８７】
（付記６）  縦方向の並進部を更に有し、
前記パラメータ決定部は、前記フィードバック信号の前記スカラー量情報に従って縦方向の並進量（ｍ）を決定し、且つ前記縦方向の並進部は、前記パラメータ決定部によって決定された前記縦方向の並進量（ｍ）に従って、前記位相屈曲調整部及び前記振幅屈曲調整部の出力に、あるいは前記振幅並進部及び前記位相並進部によって並進された信号に、縦方向の平行移動を実行する、
付記１に記載のベースバンド・プレディストータ。
【００８８】
（付記７）  変更されたアドレスが妥当なアドレス範囲を超えるとき、前記位相並進部及び前記振幅並進部は、前記変更されたアドレスを前記変更されたアドレスに最も近い妥当アドレスとして設定する、付記１に記載のベースバンド・プレディストータ。
【００８９】
（付記８）  付記１乃至７の何れか一に記載のベースバンド・プレディストータと、
前記ベースバンド・プレディストータによって出力されたプレディストーション信号を入力信号に掛け合わせる乗算器と、
前記乗算器によって出力されたデジタル信号をアナログ信号に変換するデジタル−アナログ変換器と、
前記デジタル−アナログ変換器の出力にアップコンバージョンを実行するアップコンバータと、
前記アップコンバータの出力信号を増幅する増幅ユニットと、
前記増幅ユニットの出力の一部すなわちフィードバック信号をフィードバックし、該フィードバック信号のスカラー量情報を取得するフィードバック分岐と、
を有する増幅器装置。
【００９０】
（付記９）  前記フィードバック分岐は、
前記フィードバック信号をフィルタリングし、前記フィードバック信号の歪み部分を得るフィルタと、
前記フィルタによって得られた前記歪み部分に従って前記フィードバック信号の前記スカラー量情報を決定する費用関数取得部と、
を有する、付記８に記載の増幅器装置。
【００９１】
（付記１０）  前記フィードバック分岐は、
前記フィードバック信号にダウンコンバージョンを実行するダウンコンバータと、
前記ダウンコンバータによって前記ダウンコンバージョンを実行された信号にアナログ−デジタル変換を実行するアナログ−デジタル変換ユニットと、
前記アナログ−デジタル変換を実行された信号の周波数ドメイン情報を得る周波数ドメイン情報取得ユニットと、
得られた周波数ドメイン情報に従って前記フィードバック信号の前記スカラー量情報を決定する費用関数取得部と、
を有する、付記８に記載の増幅器装置。
【００９２】
（付記１１）  入力信号に従って、振幅基本ルックアップテーブルのアドレス及び位相基本ルックアップテーブルのアドレスを計算する段階と、
フィードバック信号のスカラー量情報に従って、位相並進量（ｊ）、振幅並進量（ｉ）、位相屈曲調整量（ｖ）、及び振幅屈曲調整量（ｕ）を決定する段階と、
計算された前記位相基本ルックアップテーブルのアドレスを前記位相並進量（ｊ）に従って変更する段階と、
計算された前記振幅基本ルックアップテーブルのアドレスを前記振幅並進量（ｉ）に従って変更する段階と、
前記位相並進量（ｊ）に従って変更されたアドレスに従って前記位相基本ルックアップテーブルを探索し、前記位相基本ルックアップテーブルの対応する位相出力を決定する段階と、
前記振幅並進量（ｉ）に従って変更されたアドレスに従って前記振幅基本ルックアップテーブルを探索し、前記振幅基本ルックアップテーブルの対応する振幅出力を決定する段階と、
前記位相屈曲調整量（ｖ）に従って前記位相出力を調整する段階と、
前記振幅屈曲調整量（ｕ）に従って前記振幅出力を調整する段階と、
を有するベースバンド・プレディストーション方法。
【００９３】
（付記１２）  機械読み取り可能なコンピュータプログラムであって、
入力信号に従って、振幅基本ルックアップテーブルのアドレス及び位相基本ルックアップテーブルのアドレスを計算する段階と、
フィードバック信号のスカラー量情報に従って、位相並進量（ｊ）、振幅並進量（ｉ）、位相屈曲調整量（ｖ）、及び振幅屈曲調整量（ｕ）を決定する段階と、
計算された前記位相基本ルックアップテーブルのアドレスを前記位相並進量（ｊ）に従って変更する段階と、
計算された前記振幅基本ルックアップテーブルのアドレスを前記振幅並進量（ｉ）に従って変更する段階と、
前記位相並進量（ｊ）に従って変更されたアドレスに従って前記位相基本ルックアップテーブルを探索し、前記位相基本ルックアップテーブルの対応する位相出力を決定する段階と、
前記振幅並進量（ｉ）に従って変更されたアドレスに従って前記振幅基本ルックアップテーブルを探索し、前記振幅基本ルックアップテーブルの対応する振幅出力を決定する段階と、
前記位相屈曲調整量（ｖ）に従って前記位相出力を調整する段階と、
前記振幅屈曲調整量（ｕ）に従って前記振幅出力を調整する段階と、
を有するベースバンド・プレディストーション方法、を機械が実行することを可能にするよう実行されるコンピュータプログラム。
【００９４】
（付記１３）  付記１２に記載のコンピュータプログラムを格納した機械読み取り可能記憶媒体。
【符号の説明】
【００９５】
１０３    電力増幅器
１０４    カップラ
１０５    アッテネータ
２０４    デジタル−アナログ変換器
２０５    アップコンバータ
２０７    アナログ−デジタル変換器
４００    プレディストーションユニット
４０１Ａ  振幅基本ルックアップテーブル探索部
４０１Ｐ  位相基本ルックアップテーブル探索部
４０２Ａ  振幅並進部
４０２Ｐ  位相並進部
４０３Ａ  振幅屈曲調整部
４０３Ｐ  位相屈曲調整部
４０４    制御ユニット
４０５、６０７    アドレス生成部
４０６    フィルタ
４０７、５０１、６０１    費用関数生成／計算部
５００    周波数ドメイン情報取得部
６００    基本ルックアップテーブル探索部
６０２    パラメータ選択制御部
６０５、６０６    データ生成モジュール（パラメータ計算ユニット）
６０８、６１０、６１４    加算器
６０９、６１１    乗算器
【図１】
2010016821.tif 000003
【図２】
2010016821.tif 000004
【図３】
2010016821.tif 000005
【図４】
2010016821.tif 000006
【図５】
2010016821.tif 000007
【図６】
2010016821.tif 000008
【図７】
2010016821.tif 000009
【図８】
2010016821.tif 000010
【図９】
2010016821.tif 000011
【図１０】
2010016821.tif 000012
【図１１】
2010016821.tif 000013
【図１２】
2010016821.tif 000014